(57)【要約】【課題】安全ロック部材の操作により蓋開放部材７０と蓋ロック部材との移動を規制することにより、安全ロック機能を高め、且つ蓋開放部材７０の操作性を高めてなる飲料用容器を提供すること。【解決手段】容器本体と、前記容器本体の開口部に着脱される栓本体を有する飲料用容器であって、前記栓本体は、開閉可能な蓋ユニットを有し、前記蓋ユニットは、前記蓋ユニットを開放操作するための蓋開放部材７０と、前記蓋ユニットを閉鎖状態に保持する蓋ロック部材と、安全ロック部材とを有し、前記蓋開放部材７０の開放操作時、前記蓋ロック部材は、前記蓋開放部材７０の動きに連動して前記蓋ユニットの閉鎖状態を解除し、前記安全ロック部材の作動時、前記蓋開放部材７０及び前記蓋ロック部材は、それぞれ動きが規制される飲料用容器。【選択図】図２
2014097815.tif 000002
【特許請求の範囲】
【請求項１】
容器本体と、前記容器本体の開口部に着脱される栓本体を有する飲料用容器であって、
前記栓本体は、開閉可能な蓋ユニットを有し、
前記蓋ユニットは、前記蓋ユニットを開放操作するための蓋開放部材と、前記蓋ユニットを閉鎖状態に保持する蓋ロック部材と、安全ロック部材とを有し、
前記蓋開放部材の開放操作時、前記蓋ロック部材は、前記蓋開放部材の動きに連動して前記蓋ユニットの閉鎖状態を解除し、
前記安全ロック部材の作動時、前記蓋開放部材及び前記蓋ロック部材は、それぞれ動きが規制されることを特徴とする飲料用容器。
【請求項２】
前記蓋ロック部材は、前記安全ロック部材で動きが規制されることを特徴とする請求項１に記載の飲料用容器。
【請求項３】
前記蓋開放部材及び前記蓋ロック部材は、前記安全ロック部材でそれぞれの動きが規制されることを特徴とする請求項１に記載の飲料用容器。
【発明の詳細な説明】
【技術分野】
【０００１】
本願発明は、飲料用容器であり、栓本体の蓋ユニットをワンプッシュで開けることができる蓋ユニットの安全ロック構造に関するものである。
【背景技術】
【０００２】
従来、冷水、湯、コーヒー等の飲料物を入れて持ち運びする携帯用のステンレスボトル等の飲料用容器が知られている。このような飲料用容器は、例えば飲料物を入れる容器本体を真空二重構造として断熱を図るとともに、容器本体の開口部を閉鎖する栓本体の蓋ユニットの開放をワンプッシュ式にしてその開放を容易にしている。
【０００３】
このようなステンレスボトルの栓本体に設けられる蓋ユニットの一例を図１８に示す。この例のものは、真空二重構造の容器本体の開口部に栓本体を取り付けてなる携帯用の飲料用容器であり（特許文献１の図１等参照）、栓本体の上部には開閉可能な蓋ユニット１が取付けられる。
【０００４】
図に示すものは、栓本体の上部に取付けられる蓋ユニット１の一部であって、蓋ユニット１に取付けられる蓋開放部材２を取り外し、内部の蓋ロック部材３が見える状態にしたものであり、蓋ユニット１は、図の右側（飲料用容器の後方側に相当）に配設される図示しないヒンジ部に支持され、蓋ユニット１に設けられる蓋ロック部材３による栓本体とのロックが解除されるとヒンジ部に設けられるばねによりヒンジ部側に開放される。なお、蓋開放部材２は蓋ユニット１から取り外してひっくり返した状態を示している。
【０００５】
前記蓋ユニット１の側面及び上面には、前方側から後方側に向かう略Ｌ字状の凹部１ａが形成されるとともに、凹部１ａの側壁面には後方側から前方側に向かって突き出る柱状のストッパ１ｂを有し、凹部１ａの側壁面には一対の係止リブ１ｃ、１ｃを有し、前記ストッパ１ｂの前方側には、後方側から前方側に向かって突き出る柱状のばね受け１ｄを有する。
【０００６】
前記蓋開放部材２は、円弧状の垂直壁部２ａ及び水平壁部２ｂを有する断面Ｌ字状の部材であり、水平壁部２ｂの下面には、左右端部において垂下する一対の係止片２ｃ、２ｃと、上下方向に貫通する矩形状の窓２ｄを有する。
【０００７】
前記蓋ロック部材３は、円弧状の垂直壁部３ａ及び水平壁部３ｂを有する断面Ｌ字状の部材であり、垂直壁部３ａの下端には前方側に突き出て、図示しない栓本体の前方側に内側、即ち、後方側に向かって突き出る係止部に係合する図示しない係止部を有し、水平壁部３ｂの後端面には、前方側から後方側に向かって突き出る柱状のばね受け３ｄを有する。そして、凹部１ａのばね受け１ｄと、蓋ロック部材３のばね受け３ｄとの間にはばね４が介在する。
【０００８】
前記蓋開放部材２の矩形状の窓２ｄには、上方から下方に向かって挿入される安全ロック部材５が取付けられる。安全ロック部材５の下面には、上下方向に垂下する一対の係止片５ａ、５ａと、１個の柱状の突起部５ｂが設けられており、安全ロック部材５が窓２ｄに上方から下方に向かって挿入されると、図に示すように、外方で且つお互い反対側に突き出た一対の係止片５ａ、５ａは、窓２ｄの下端部に係合して、安全ロック部材５の上下方向への動きを規制しつつ、左右方向の動きを許容する。また、同じく図に示すように１個の柱状の突起部５ｂが窓２ｄから下方に突き出る。
【０００９】
そして、蓋開放部材２の一対の係止片２ｃ、２ｃを、蓋ユニット１の凹部１ａの一対の係止リブ１ｃ、１ｃに係合させて両部材１、２を組み立てると、蓋開放部材２の垂直壁部２ａは蓋ユニット１の外周面と面一になる。
【００１０】
蓋ユニット１を開放する際は、蓋開放部材２の垂直壁部２ａを後方側に押圧する。すると、蓋開放部材２は後方側に押されるとともに、その垂直壁部２ａは蓋ロック部材３の垂直壁部３ａに当接した後、蓋ロック部材３とともに後方側に移動する。その結果、蓋ロック部材３の係止部と、栓本体に形成される係止部との係合が解除され、蓋ユニット１はヒンジ部に設けられるばねの力により開蓋する。
【００１１】
安全ロック部材５を作動すると、安全ロック部材５が窓２ｄを左右方向に移動し、前後方向でみた場合、安全ロック部材５の突起部５ｂが凹部１ａのストッパ１ｂに直近で対向する。そのため、蓋開放部材２を後方側に押そうとしても、安全ロック部材５の突起部５ｂが凹部１ａのストッパ１ｂに当接して蓋開放部材２の後方側への移動を規制する。
【００１２】
このように、従来の飲料用容器は、ワンプッシュで蓋ユニット１を開放できるとともに、安全ロック機能をも有しており、利便性のよいものである。
【００１３】
ところで、上記従来例のように蓋開放部材２と蓋ロック部材３と安全ロック部材５とを別体で有するものの安全ロック構造は、蓋開放部材２のみの移動を規制するものであり、蓋ロック部材３は動き得る状態にあった。
【００１４】
そのため、例えば、飲料用容器を落としたり等して、飲料用容器の蓋ユニットにヒンジ部方向に一定以上の力が強制的に加わると、蓋ロック部材３が例えばヒンジ部方向に移動し、蓋ロック部材３の係止部の係合が外れて蓋ユニット１が開蓋する恐れが生じることになり、そのような恐れを低減するためには、蓋ロック部材３を閉止するためのばね４のばね力を大きくする等の工夫が必要になる。しかし、例えば、ばね４のばね力を大きくすると蓋開放部材２の操作力が大きくならざるを得ない。
【先行技術文献】
【特許文献】
【００１５】
【特許文献１】特開２００８−２２２２３８号公報
【発明の概要】
【発明が解決しようとする課題】
【００１６】
本願発明の目的は、安全ロック部材の操作により蓋開放部材と蓋ロック部材との移動を規制することにより、安全ロック機能を高め、且つ蓋開放部材の操作性を高めてなる飲料用容器を提供することである。
【課題を解決するための手段】
【００１７】
上記目的を達成するため、本願発明は以下の構成を採用する。
【００１８】
請求項１に係る発明では、容器本体と、前記容器本体の開口部に着脱される栓本体を有する飲料用容器であって、前記栓本体は、開閉可能な蓋ユニットを有し、前記蓋ユニットは、前記蓋ユニットを開放操作するための蓋開放部材と、前記蓋ユニットを閉鎖状態に保持する蓋ロック部材と、安全ロック部材とを有し、前記蓋開放部材の開放操作時、前記蓋ロック部材は、前記蓋開放部材の動きに連動して前記蓋ユニットの閉鎖状態を解除し、前記安全ロック部材の作動時、前記蓋開放部材及び前記蓋ロック部材は、それぞれ動きが規制される構成。
【００１９】
請求項２に係る発明では、請求項１に係る発明の構成に加え、前記蓋ロック部材は、前記安全ロック部材で動きが規制される構成。
【００２０】
請求項３に係る発明では、請求項１に係る発明の構成に加え、前記蓋開放部材及び前記蓋ロック部材は、前記安全ロック部材でそれぞれの動きが規制される構成。
【発明の効果】
【００２１】
安全ロック部材の操作により蓋開放部材と蓋ロック部材との移動を同時に規制することにより、例え蓋開放部材が不用意に押されたり、或いは落下した衝撃で蓋ユニットが開蓋する弊害をより確実に防止することができる。また、蓋ロック部材を閉止するためのばねのばね力を必要最小限に小さくすることができ、部品コストを低減できるとともに、蓋開放部材を小さい力で操作することができ、その操作性を向上することができる。
【図面の簡単な説明】
【００２２】
【図１】飲料用容器の全体断面図
【図２】栓本体断面図（蓋開放部材非作動時）
【図３】栓本体断面図（蓋開放部材作動時）
【図４】栓本体を容器本体から取り外した状態を斜め上方から見た斜視図
【図５】栓本体を斜め下方から見た斜視図
【図６】栓本体から蓋ユニットを開放した状態を斜め上方から見た斜視図
【図７】栓本体を各部品に分解した状態を斜め上方から見た斜視図
【図８】安全ロック作動時（Ａ）と非作動時（Ｂ）の蓋開放部材と安全ロック部材との状態を斜め下方から見た斜視図
【図９】安全ロック作動時の蓋開放部材と蓋ロック部材と安全ロック部材との状態を示す断面図
【図１０】蓋カバーを取り外した蓋基板の状態を斜め上方から見た斜視図
【図１１】中栓を斜め上方から見た斜視図
【図１２】中栓カバーを斜め上方から見た斜視図
【図１３】蓋カバーを斜め上方から見た斜視図
【図１４】蓋開放部材を斜め上方（Ａ）及び下方（Ｂ）から見た斜視図
【図１５】梃子部材を斜め上方（Ａ）及び下方（Ｂ）から見た斜視図、（Ｃ）は梃子の原理を説明するための概略図
【図１６】蓋ロック部材を斜め上方（Ａ）及び下方（Ｂ）から見た斜視図
【図１７】安全ロック部材を斜め上方（Ａ）及び下方（Ｂ）から見た斜視図
【図１８】蓋ユニットから蓋開放部材を取り外した状態を示す従来例の斜視図
【実施例】
【００２３】
図１に本願発明の飲料用容器の全体断面図を示し、図２及び図３に蓋開放部材の非作動時と作動時の断面図を示し、図５から図７に栓本体の異なる方向から見た図等を示し、図８及び図９に安全ロック部材と、蓋開放部材及び蓋ロック部材との係合状態等を示し、図１０に蓋カバーを取り外した蓋基板の状態を示し、図１１から図１７に栓本体の各部品の斜視図等を示す。
【００２４】
本願発明の飲料用容器は、内部に飲料物を入れるものであればどのようなものでもよく、以下においては携帯用でワンプッシュ開放式のステンレスボトルを用いて説明する。なお、ヒンジ部側を後方側とし、ヒンジ部の反対側（飲み口側）を前方側とし、前後方向に直交する側を左右方向側とする。
【００２５】
ステンレスボトルＳは、容器本体１０と栓本体２０を有する。容器本体１０は、内ケース１１、外ケース１２及び底板１３を有する。内ケース１１は、上部に栓本体２０が着脱される開口部１４を有する容器状のステンレス製の部材であり、その上部内周には内ケース内周ネジ１５を有する。なお、内ケース１１の内周ネジ１５の下端近傍には、内方に窪んだ絞り部１６を有する。
【００２６】
前記外ケース１２は、上下が開口した略筒状のステンレス製の部材であり、その上部は絞られ、その上端部は内ケース１１の上端部と溶着される。また、前記底板１３は、皿状のステンレス製の部材であり、その上端は外ケース１２の下端と溶着される。
【００２７】
このように、内ケース１１と外ケース１２と、底板１３は一体化され、間に内部空間１７を形成する。そして、この内部空間１７を真空引きすることにより保温性能の高い真空二重構造体を形成する。
【００２８】
前記栓本体２０は、大きく分けて中栓２１、中栓カバー２６及び蓋部材３０を有する。中栓２１は、容器本体１０の開口部１４の内周面に螺合される樹脂部材で、図１１に全体斜視図を示す。中栓２１は、下から順に一体形成される柱状部２２、フランジ部２３及び飲み口２４を有する。
【００２９】
柱状部２２は、下方開口の円筒状の部分であり、その外周には内ケース１１の内周ネジ１５に螺合する雌ネジ２２ａを有し、その下端部には、内ケース１１の絞り部１６の上面に当接可能なリング状のシールパッキン２２ｂが嵌合され、栓本体２０が容器本体１０に螺合されると、図１に示すように、シールパッキン２２ｂが絞り部１６の上面に当接し、容器本体１０内を密閉する。
【００３０】
フランジ部２３は、柱状部２２の上端を覆い、且つ外方に突き出る略円形の部分であり、その略中央には上下に貫通する円形孔２３ａを有し、この円形孔２３ａを介して容器本体１０内の飲料が流出する。
【００３１】
飲み口２４は、フランジ部２３の上面に上方に突き出る部分であり、前方側が高く、後方側に向かって斜めに傾斜する上端部を有し、その平面視形状は略半円状で、若干前方寄りに前記円形孔２３ａが位置する。また、飲み口２４の斜め前方には、内側に窪んだ一対の係止部２４ａ、２４ａを有する。さらに、フランジ部２３と飲み口２４との間には、内側に若干窪んだ環状の凹部２４ｂを有し、この凹部２４ｂ内に中栓カバー２６が圧入される。
【００３２】
前記中栓カバー２６は、中栓２１の上方をカバーする樹脂部材で、図１２に全体斜視図を示す。中栓カバー２６は、底の浅いキャップ状のもので、その上面には前記飲み口２４の外形より若干大きく且つ同形の略半円状の開口孔２７を有し、この開口孔２７の内周面には内方に突き出た係止突起２７ａを有する。
【００３３】
また、中栓カバー２６の後方側の上面中央部には、左右方向に伸び、内部に中空状のヒンジ孔２８ａを有するヒンジ部２８を有する。そして、このヒンジ孔２８ａ内には後記するヒンジ軸３８が圧入される。
【００３４】
そして、この中栓カバー２６と中栓２１とは圧入により一体化される。その組付けは、中栓２１の上方に中栓カバー２６を置き、飲み口２４の外周に開口孔２７を上方から嵌入し、さらに下方へ押し込む。すると、開口孔２７の内周の係止突起２７ａが飲み口２４下端の凹部２４ｂに嵌り込み、図７の下方に示す形態で無理ばめ状態で一体化され、中栓ユニットＹを形成する。
【００３５】
中栓２１と中栓カバー２６とが圧入により一体化されると、容易に外すことができなくなり、この中栓ユニットＹの上部には、後記蓋ユニットＨが図６に示すように取付けられて全体として栓本体２０を構成する。そして、中栓２１の雌ネジ２２ａを容器本体１０の内周ネジ１５に螺合することになる。
【００３６】
前記蓋部材３０は、蓋カバー３１及び蓋基板３５からなる樹脂部材である。蓋カバー３１は、蓋部材３０の上方を形成する部材であり、図１３に全体斜視図を示す。蓋カバー３１は、略円形の側壁部３１ａ及び上壁部３１ｂを有する下方開放のキャップ状のもので、上壁部３１ｂは前方から後方に下がる形態で傾斜し、側壁部３１ａは前方から後方にかけて高さが減少している。
【００３７】
蓋カバー３１の後方には、上壁部３１ｂから側壁部３１ａにかけて縦断面略Ｌ字状のヒンジ切欠３２を有し、蓋カバー３１の前方には、上壁部３１ｂから側壁部３１ａの一部にかけての後記蓋開放部材７０を取り付けるための縦断面略Ｌ字状の取付開口３３を有する。この取付開口３３は、上壁部３１ｂに形成される部分は平面視矩形状で、側壁部３１ａに形成される部分は円弧を下にした略半円状で、左右方向の長さはヒンジ切欠３２とほぼ同じである。
【００３８】
また、上壁部３１ｂに形成される取付開口３３の側壁部には、蓋開放部材７０が摺動するための内側、即ち、左右方向に若干突き出るとともに、前後方向に長く伸びる一対のレール突起３３ａ、３３ａが対向して形成され、さらに両レール突起３３ａ、３３ａの略中間には、内側、即ち、左右方向に突き出る一対の係止突起３３ｂ、３３ｂが形成される。そして、これら係止突起３３ｂ、３３ｂは、蓋開放部材７０の前方側への移動を規制する。
【００３９】
また、上壁部３１ｂに形成される取付開口３３の後端面には、安全ロック作動時の安全ロック部材８０が当接するための１個の係止リブ３３ｃが前方側に突き出る形態で形成される。
【００４０】
また、蓋カバー３１の下端部の内周面には、複数（例えば、３個）の係合片３１ｃを有しており、蓋基板３５との無理ばめ時に蓋基板３５の底端部に係合する。
【００４１】
前記蓋基板３５は、蓋部材３０の下方を形成し、後記蓋ロック部材５０及び梃子部材６０を取付ける部材であり、図７及び図１０に全体斜視図を示す。蓋基板３５は、前記蓋カバー３１を若干小さくしたのとほぼ同形で、側壁部３５ａ及び上壁部３５ｂを有する下方開放のキャップ状のもので、上壁部３５ｂは前方から後方に下がる形態で傾斜し、側壁部３５ａは前方から後方にかけて高さが減少している。
【００４２】
蓋基板３５の後方には、ヒンジ切欠３６を有し、このヒンジ切欠３６の両端にはそれぞれ軸受３７、３７を有する。そして、これら軸受３７、３７内には、ヒンジ軸３８（図７参照）が嵌入される。
【００４３】
蓋基板３５の左右斜め前方の側壁部３５ａには、蓋ロック部材５０の係止爪５４、５４が嵌入可能な矩形状の爪嵌入孔４０、４０を有する。
【００４４】
また、上壁部３５ｂの中央前方寄りには、下方に窪んだ円形の柱状凹部４１を有する。この柱状凹部４１は中栓ユニットＹに蓋ユニットＨが組み立てられた後には中栓ユニットＹの円形孔２３ａ近傍まで達する長さである。なお、柱状凹部４１は、蓋基板３５を下方から見た場合は柱状凸部４２になる。図２及び図３に柱状凸部４２の断面の状態を示し、図６に柱状凸部４２に蓋基板パッキン４５を被せた状態を示す。
【００４５】
また、上壁部３５ｂの柱状凹部４１の直前方には、蓋ロック部材５０の上下貫通孔５１が貫通するための前方から後方を見た正面視で若干横長の矩形状突起４３を有し、さらに柱状凹部４１を跨ぐ左右方向の線上には、後記梃子部材６０を軸支するための梃子軸受４４、４４を有する。
【００４６】
蓋基板３５の底面には、蓋基板パッキン４５が取付けられる。蓋基板パッキン４５は、下方に垂下した筒状部４５ａと、筒状部４５ａの上端から外方に略水平に広がる平板部４５ｂを有する（図６参照）。筒状部４５ａは、底端部が閉鎖した筒状の部分で、内部に柱状凸部４２が圧入する。平板部４５ｂは、筒状部４５ａの上端から外方に広がる平面視略半円弧状で、且つ飲み口２４の平面視形状より若干大きい部分である。
【００４７】
そして、蓋基板３５の底面に蓋基板パッキン４５が取付けられた蓋ユニットＨが閉鎖されると、筒状部４５ａは、中栓ユニットＹの円形孔２３ａに当接して円形孔２３ａを閉鎖し、平板部４５ｂは、飲み口２４の上端部に当接して飲み口２４を閉鎖する。そのため、例え飲み残しが飲み口２４の内側に残ったとしても残った飲料が外部に漏れ出ることはない。
【００４８】
蓋基板３５は、中栓ユニットＹのヒンジ部２８に取付けられる。その取付けは、まずヒンジ部２８のヒンジ孔２８ａの両端に図示しないコイルバネを挿入したものを用意し、そのヒンジ部２８を蓋基板３５の２つの軸受３７、３７間に置き、一方の軸受３７の外方からヒンジ軸３８を圧入する。
【００４９】
ヒンジ軸３８はヒンジ孔２８ａの中央部領域で圧入され、２つの軸受３７、３７は単にヒンジ軸３８を嵌入するだけである。そして、図示しないコイルバネの一端はヒンジ部２８内に固定され、他端は蓋基板３５の上面に固定されており、蓋基板３５はヒンジ軸３８に対して回動自在にされるとともに、常に蓋基板３５を開放する方向に力が付与される。図６に示すように蓋基板３５（或いは蓋ユニットＨ）は約１８０度回動する。
【００５０】
中栓ユニットＹに取付けられた蓋基板３５の上壁部３５ｂには、蓋ロック部材５０及び梃子部材６０が取付けられる。
【００５１】
前記蓋ロック部材５０は、蓋ユニットＨを飲み口２４の斜め前方に形成される一対の係止部２４ａ、２４ａに係止するための樹脂部材であり、図１６に全体斜視図を示す。蓋ロック部材５０は、左右方向に細長い平面視略台形状の部材で、中央部に矩形状の上下貫通孔５１を有する。
【００５２】
蓋ロック部材５０の中央部には、矩形状平板５２が垂下し、この矩形状平板５２の前方側上方には前方に向かって突き出るバネ受け５２ａを有するとともに、この矩形状平板５２の後方側には後方に向かって突き出る同じ形状の一対の非押圧突起５２ｂ、５２ｂを有する。そして、この非押圧突起５２ｂ、５２ｂには梃子部材６０の押圧部６１ｂ、６１ｂが当接する。
【００５３】
蓋ロック部材５０の上下貫通孔５１の一側面の後方側には、上方に立設する柱状のストッパ５３を有する。このストッパ５３は、安全ロック作動時に蓋ロック部材５０の移動を規制するものであり、蓋カバー３１の係止リブ３３ｃと前後方向で同一線上になるように設けられる。
【００５４】
蓋ロック部材５０の左右端には、一対の略レ字状の係止爪５４、５４が垂下しており、蓋ロック部材５０が取付けられるとこの係止爪５４、５４は、蓋基板３５の側壁部３５ａに形成される矩形状の爪嵌入孔４０、４０内に嵌入する。そして、蓋ユニットＨの閉鎖時、係止爪５４、５４は後方に移動して飲み口２４の斜め前方に形成される一対の係止部２４ａ、２４ａに係止する。
【００５５】
蓋ロック部材５０の取り付けは以下のように行われる。まず、蓋ロック部材５０を蓋基板３５の上方に置き、矩形状の上下貫通孔５１内に蓋基板３５の矩形状突起４３を図１０に示すように嵌入し、蓋ロック部材５０の矩形状平板５２を蓋基板３５の柱状凹部４１内に入り込ませる。次いで、蓋ロック部材５０のバネ受け５２ａと、蓋基板３５の矩形状突起４３との間にスプリング５５（図７参照）を介在させる。すると、蓋ロック部材５０は、常に後方へ押され、係止爪５４、５４が飲み口２４の係止部２４ａ、２４ａに係止し、蓋ユニットＨを閉鎖状態にする。
【００５６】
前記梃子部材６０は、蓋開放部材７０の押圧力を梃子の原理を利用して蓋ロック部材５０をロック解除方向である前方向に押すための樹脂部材であり、図１５に全体斜視図を示す。梃子部材６０は、左右方向に細長い棒状の部材で、中央部に下方に垂下する矩形平板６１を有する。
【００５７】
矩形平板６１の前方側、即ち、蓋ロック部材５０に対向する側の面の中央には、前方側に突き出た縦長の補強リブ６１ａが設けられ、補強リブ６１ａがない左右の面が押圧部６１ｂ、６１ｂになる（図１５（Ｃ）参照）。この押圧部６１ｂ、６１ｂは、蓋ロック部材５０の非押圧突起５２ｂ、５２ｂと対向し、梃子部材６０が回動すると、非押圧突起５２ｂ、５２ｂを前方側に押し、蓋ロック部材５０を前方側に移動する。
【００５８】
梃子部材６０の中央と左端及び右端との間には、前方側、即ち、蓋ロック部材５０に対向する側に突き出た一対の矩形状の非押圧リブ６２、６２が設けられる。この非押圧リブ６２、６２の前方側の面が非押圧部６２ａ、６２ａであり、この非押圧部６２ａ、６２ａが蓋開放部材７０の押圧リブ７７、７７に対向し、この押圧リブ７７、７７により後方側に押される。
【００５９】
また、梃子部材６０の両端には、それぞれ軸貫通孔６３、６３を有し、これら軸貫通孔６３、６３には、梃子部材６０の左右長より長い長さの梃子軸６４が貫通される。
【００６０】
梃子部材６０の取付けは以下のように行われる。まず、梃子部材６０を蓋基板３５の２つの梃子軸受４４、４４の間に置き、矩形平板６１を蓋基板３５の柱状凹部４１内に垂下し、押圧部６１ｂ、６１ｂを蓋ロック部材５０の非押圧突起５２ｂ、５２ｂに対向させる。
【００６１】
次いで、一方の梃子軸受４４より梃子軸６４（図７参照）を、一方の梃子軸受４４、一方の軸貫通孔６３、他方の軸貫通孔６３、他方の梃子軸受４４の順に圧入する。すると、梃子軸６４は両梃子軸受４４、４４で固定され、梃子部材６０は軸貫通孔６３、６３を介して梃子軸６４まわりに回動自在にされる。
【００６２】
ところで、梃子部材６０は、図１５（Ｃ）に示すように、梃子軸６４の中心から矩形平板６１の押圧部６１ｂ、６１ｂの中心までの長さｔ２は、梃子軸６４の中心から非押圧リブ６２、６２の非押圧部６２ａ、６２ａの中心までの長さｔ１より大きくされており、非押圧部６２ａ、６２ａに伝わる蓋開放部材７０の力を大きくして押圧部６１ｂ、６１ｂに伝えることができる。そのため、小さな力で蓋ロック部材５０をより確実に押すことができる。
【００６３】
上記したように、中栓ユニットＹに蓋基板３５を取付け、さらに蓋基板３５に蓋基板パッキン４５、蓋ロック部材５０及び梃子部材６０を取付けた後、蓋カバー３１を取付けることになるが、その前に蓋カバー３１の取付開口３３に安全ロック部材８０を取付けた蓋開放部材７０が取付けられる。
【００６４】
蓋開放部材７０は、略矩形状の上壁部７１と略半円弧状の側壁部７２を有する縦断面略レ字状の部材で、図１４に全体斜視図を示す。蓋開放部材７０の上壁部７１は蓋カバー３１の上壁部３１ｂに形成される取付開口３３に対応し、側壁部７２は蓋カバー３１の側壁部３１ａに形成される取付開口３３に対応して取付けられる。
【００６５】
蓋開放部材７０の上壁部７１の左右側面には、蓋カバー３１のレール突起３３ａ、３３ａが挿入するレール溝７３、７３を有するとともに、それぞれのレール溝７３、７３の後方寄りには、蓋カバー３１の係止突起３３ｂ、３３ｂが嵌入する左右方向に貫通する横長貫通孔７４、７４を有する。
【００６６】
蓋開放部材７０の上壁部７１の後方寄りには、左右方向に長い矩形状の凹部７５を有するとともに、この凹部７５の中央には凹部７５より小さく且つ略同形で上下に貫通する横長開口７５ａを有し、さらにこの横長開口７５ａの中央には左右方向に伸びる細長い橋状部材７６を有する。
【００６７】
なお、橋状部材７６の上面の離れた２箇所には下方に窪んだ切欠７６ａ、７６ａを有し、一方の切欠７６ａは安全ロック部材８０の非作動時の位置に対応し、他方の切欠７６ａは安全ロック部材８０の作動時の位置に対応するとともに、安全ロック部材８０が左右に移動する際にクリック音を発する。
【００６８】
また、蓋開放部材７０の上壁部７１の底面であって、橋状部材７６の両端部には、一対の押圧リブ７７、７７が下方に向かって垂下している。この押圧リブ７７、７７は、梃子部材６０の非押圧リブ６２、６２に対向し、蓋開放部材７０が後方に押されると、非押圧リブ６２、６２を押し梃子部材６０を回動させる。
【００６９】
蓋開放部材７０の凹部７５には、安全ロック部材８０が取付けられる。安全ロック部材８０は、蓋開放部材７０及び蓋ロック部材５０の移動を規制するためのもので、図１７に全体斜視図を示す。
【００７０】
安全ロック部材８０は、蓋開放部材７０の凹部７５に挿入可能な横長で矩形状の樹脂部材であり、その上面には略半分の長さにわたり上方に半円弧状に盛り上がった蒲鉾状の掴み部８１を有し、その下面には、下方に垂下する４本の脚８２ａ、８２ｂ、８２ｂ、８２ｂを有し、さらに４本の脚８２ａ、８２ｂ、８２ｂ、８２ｂの略中央には、若干の高さの突起８３が垂下している。
【００７１】
前記４本の脚８２ａ、８２ｂ、８２ｂ、８２ｂは同じ長さであるが、形状は１本の脚８２ａと３本の脚８２ｂ、８２ｂ、８２ｂは異なり、３本の脚８２ｂ、８２ｂ、８２ｂの形状は同じである。詳細には、脚８２ａは平板でその内側には補強リブ８２ａａを有する横断面Ｌ字状のもので、脚８２ｂ、８２ｂ、８２ｂは平板でその下端の外側には係止片８２ｂｂを有する縦断面レ字状のものである。
【００７２】
そして、安全ロック部材８０の作動時には、脚８２ａの外側の面（補強リブ８２ａａと反対側の面）が蓋カバー３１の係止リブ３３ｃとの当接面８２ａｂになり、脚８２ａに前後方向で対向する脚８２ｂの内側の面（補強リブ８２ａａに対向する面）が蓋ロック部材５０のストッパ５３との当接面８２ｂｃになる（図９参照）。
【００７３】
安全ロック部材８０の取付けは以下のように行われる。蓋開放部材７０の凹部７５の横長開口７５ａの上に橋状部材７６を跨ぐように安全ロック部材８０を置く。その場合、安全ロック部材８０の左右方向の２本の脚８２ａ、８２ｂが後方側になり、左右方向の他の２本の脚８２ｂ、８２ｂが前方側になるようにして、安全ロック部材８０を下方に押し込む。すると、橋状部材７６を挟んで後方側に２本の脚８２ａ、８２ｂが入り込み、前方側に２本の脚８２ｂ、８２ｂが入り込む。
【００７４】
なお、入り込む際、３本の脚８２ｂ、８２ｂ、８２ｂは横長開口７５ａの中央に向かって変形しながら入り込み、入り込むと元の状態に復帰するとともに、それぞれの先端の係止片８２ｂｂが横長開口７５ａの側壁部に係合する。そのため、一端安全ロック部材８０を組付けると取り外しができなくなるが、蓋開放部材７０の凹部７５内を左右に移動可能となる。
【００７５】
この例の場合、正面視で安全ロック部材８０が右側にあれば安全ロック非作動時で左側にあれば安全ロック作動時になる。そして、切替時には、安全ロック部材８０の突起８３が橋状部材７６の一方の切欠７６ａから他方の切欠７６ａにクリック音を発して移動することになり、その切替を確実に行うことができる。また、安全ロック部材８０は、蓋開放部材７０と直交する方向であり、一方の部材の操作時に他方の部材が移動することはない。
【００７６】
安全ロック部材８０を取付けた蓋開放部材７０を、蓋カバー３１に取付ける取付けは以下のように行われる。蓋カバー３１の取付開口３３の前方側に蓋開放部材７０を置き、蓋カバー３１の一対のレール突起３３ａ、３３ａに蓋開放部材７０の一対のレール溝７３、７３を合わせて蓋開放部材７０を後方側に押し込む。
【００７７】
すると蓋開放部材７０はレール突起３３ａ、３３ａに沿って後方側に移動し、レール突起３３ａ、３３ａに設けられる係止突起３３ｂ、３３ｂに当接する。かまわず蓋開放部材７０を押すと係止突起３３ｂ、３３ｂは蓋開放部材７０の横長貫通孔７４、７４内に入り込む。係止突起３３ｂ、３３ｂが一旦横長貫通孔７４、７４内に入り込むと、蓋開放部材７０を引き抜こうとしても係止突起３３ｂ、３３ｂが横長貫通孔７４、７４の前方端に引っかかり引き抜くことができなくなる。所謂無理ばめ状態になる。
【００７８】
その結果、蓋開放部材７０は横長貫通孔７４、７４の前後方向の長さだけ移動可能となり、最も前方側に位置する図７の状態では蓋開放部材７０の側壁部７２と蓋カバー３１の側壁部３１ａとは周方向で面一になり、外観が良好になる。このように蓋カバーユニットＷが形成される。
【００７９】
次いで、上記したように、中栓ユニットＹに蓋基板３５を取付け、さらに蓋基板３５に蓋基板パッキン４５、蓋ロック部材５０及び梃子部材６０を取付けてなる蓋基板ユニットＲに、この蓋カバーユニットＷを取付けることになり、その取付けは以下のように行われる。
【００８０】
即ち、蓋基板ユニットＲの上に蓋カバーユニットＷを置き、蓋基板ユニットＲの上から蓋カバーユニットＷを押し込む。すると、蓋カバー３１の下端に内側に向いて形成される３個の係合片３１ｃが蓋基板３５の底端部に係合し、両ユニットＲ、Ｗは無理ばめ状態で一体化され、蓋ユニットＨが形成される。その結果、蓋ユニットＨと中栓ユニットＹとからなる栓本体２０が形成されるとともに、蓋ユニットＨは中栓ユニットＹの上方でヒンジ部２８を介して回動自在にされる。
【００８１】
そして、蓋ユニットＨの閉蓋時で、安全ロック部材８０が非作動状態の位置にある図８（Ｂ）の状態時では、脚８２ａの外側の面である当接面８２ａｂは蓋カバー３１の係止リブ３３ｃと対向していないとともに、脚８２ｂの内側の面である当接面８２ｂｃも蓋ロック部材５０のストッパ５３と対向していないため、蓋開放部材７０の後方側への移動が可能になる。
【００８２】
このような状態で、蓋開放部材７０を指で後方側へ押すと、蓋開放部材７０は後方側に移動するとともに、蓋開放部材７０の底面に設けられる押圧リブ７７、７７が、梃子部材６０の非押圧リブ６２、６２を後方側に押し梃子部材６０を図２で時計方向に回動する。
【００８３】
すると、梃子部材６０の押圧部６１ｂ、６１ｂは、蓋ロック部材５０の非押圧突起５２ｂ、５２ｂを前方側に押し、蓋ロック部材５０を前方側に押すとともに、蓋ロック部材５０の係止爪５４、５４と飲み口２４の係止部２４ａ、２４ａとの係合を解除する。その結果、蓋ユニットＨはヒンジバネの作用により開放する。
【００８４】
そして、蓋ユニットＨの閉蓋時で、安全ロック部材８０が作動状態の位置にある図８（Ａ）の状態時では、脚８２ａの外側の面である当接面８２ａｂは蓋カバー３１の係止リブ３３ｃと対向するため、蓋開放部材７０の後方側への移動が規制される。なお、この場合、脚８２ａは係止リブ３３ｃにより前方側に押されるが、補強リブ８２ａａで補強されているため前方側に折れ曲がることはない。
【００８５】
また同時に、前後方向の脚８２ａと脚８２ｂとの間に蓋ロック部材５０のストッパ５３が入り込み、脚８２ｂの内側の面である当接面８２ｂｃがストッパ５３と対向するため、蓋ロック部材５０の前方側への移動も規制される。なお、この場合、脚８２ｂはストッパ５３により前方側に押されるが、脚８２ｂが横長開口７５ａの側面に当接するため前方側に折れ曲がることはない。
【００８６】
その結果、安全ロック部材８０の作動状態で、蓋開放部材７０に対して後方側への予期しない力が加わったとしても蓋開放部材７０が後方側に移動することはなく、さらに栓本体２０に対して前方側への予期しない力が加わったとしても蓋ロック部材５０が前方側に移動しロックが解除して蓋ユニットＨが開放する弊害を確実に防止することができる。
【００８７】
また、安全ロック部材８０の作動状態で、蓋開放部材７０と蓋ロック部材５０とが同時に移動を規制されるため、蓋ロック部材５０を閉止するためのスプリング５５のばね力を必要最小限に小さくできるため、蓋開放部材７０の操作をより小さい力で行うことができ、ワンプッシュでの操作性を良好にすることができる。
【００８８】
また、蓋開放部材７０と蓋ロック部材５０との移動方向を逆にする、即ち、蓋開放部材７０を後方側へ移動させるのに対し、蓋ロック部材５０を前方側へ移動させることにより、飲み口２４の係止部２４ａ、２４ａを左右に設けることができるようになり、従来の飲み口２４の前方につけるものに比べて飲み口２４の高さを低くすることができる。その結果、栓本体２０全体の高さを低くすることができるとともに、全体をコンパクトにすることができる。さらに飲み口２４の中央部に凹凸がなくなり、手入れが容易になる。
【００８９】
本願発明は、上記実施例の構成に限定されるものではなく、発明の要旨を逸脱しない範囲において適宜設計変更可能であることは勿論であり、例えば、上記蓋ユニットは、開閉可能な部分であればどのような部材を含んでいてもよく、また、上記蓋開放部材及び蓋ロック部材の動作及び形状も上記した以外のものであってもよい。
【符号の説明】
【００９０】
Ｈ…蓋ユニット              Ｒ…蓋基板ユニット
Ｓ…ステンレスボトル        Ｗ…蓋カバーユニット
Ｙ…中栓ユニット            １０…容器本体
１１…内ケース              １２…外ケース
１３…底板                  １４…開口部
１５…内周ネジ              １６…絞り部
１７…内部空間              ２０…栓本体
２１…中栓                  ２２…柱状部
２２ａ…雌ネジ              ２２ｂ…シールパッキン
２３…フランジ部            ２３ａ…円形孔
２４…飲み口                ２４ａ…係止部
２４ｂ…凹部                ２６…中栓カバー
２７…開口孔                ２７ａ…係止突起
２８…ヒンジ部              ２８ａ…ヒンジ孔
３０…蓋部材                ３１…蓋カバー
３１ａ…側壁部              ３１ｂ…上壁部
３１ｃ…係合片              ３２…ヒンジ切欠
３３…取付開口              ３３ａ…レール突起
３３ｂ…係止突起            ３３ｃ…係止リブ
３５…蓋基板                ３５ａ…側壁部
３５ｂ…上壁部              ３６…ヒンジ切欠
３７…軸受                  ３８…ヒンジ軸
４０…爪嵌入孔              ４１…柱状凹部
４２…柱状凸部              ４３…矩形状突起
４４…梃子軸受              ４５…蓋基板パッキン
４５ａ…筒状部              ４５ｂ…平板部
５０…蓋ロック部材          ５１…上下貫通孔
５２…矩形状平板            ５２ａ…バネ受け
５２ｂ…非押圧突起          ５３…ストッパ
５４…係止爪                ５５…スプリング
６０…梃子部材              ６１…矩形平板
６１ａ…補強リブ            ６１ｂ…押圧部
６２…非押圧リブ            ６２ａ…非押圧部
６３…軸貫通孔              ６４…梃子軸
７０…蓋開放部材            ７１…上壁部
７２…側壁部                ７３…レール溝
７４…横長貫通孔            ７５…凹部
７５ａ…横長開口            ７６…橋状部材
７６ａ…切欠                ７７…押圧リブ
８０…安全ロック部材        ８１…掴み部
８３…突起                  ８２ａ，８２ｂ…脚
８２ａａ…補強リブ          ８２ｂｂ…係止片
８２ａｂ，８２ｂｃ…当接面
【図１】
2014097815.tif 000003
【図２】
2014097815.tif 000004
【図３】
2014097815.tif 000005
【図４】
2014097815.tif 000006
【図５】
2014097815.tif 000007
【図６】
2014097815.tif 000008
【図７】
2014097815.tif 000009
【図８】
2014097815.tif 000010
【図９】
2014097815.tif 000011
【図１０】
2014097815.tif 000012
【図１１】
2014097815.tif 000013
【図１２】
2014097815.tif 000014
【図１３】
2014097815.tif 000015
【図１４】
2014097815.tif 000016
【図１５】
2014097815.tif 000017
【図１６】
2014097815.tif 000018
【図１７】
2014097815.tif 000019
【図１８】
2014097815.tif 000020